【事件の表示】
　特願２００１−３９６５３８「遊技機」拒絶査定不服審判事件〔平成１５年　７月　８日出願公開、特開２００３−１９０５６０〕について、次のとおり審決する。
【結　論】
　本件審判の請求は、成り立たない。
【理　由】
第１．手続の経緯　 
　本願は、平成１３年１２月２７日の出願であって、平成１９年１１月１９日付の拒絶理由通知に対して平成２０年１月２３日付で手続補正書が提出され、これに対し、同年５月７日付で拒絶査定がなされ、これに対し、同年６月１１日付で拒絶査定不服の審判が請求されるとともに同日付で手続補正がなされたものである。
　当審においては、平成２１年３月９日付の審尋に対して、同年４月６日付で回答書が提出されている。
　
　
第２．平成２０年６月１１日付の手続補正についての補正却下の決定
〔補正却下の決定の結論〕
　平成２０年６月１１日付の手続補正（以下、「本件補正」という。）を却下する。
　
［理由］
【１】本件補正の内容と補正の適否
　本件補正により、特許請求の範囲の請求項１は、平成２０年１月２３日付手続補正により補正された特許請求の範囲の請求項１乃至４に記載された
「【請求項１】　遊技領域における遊技球の挙動によって遊技が行われる遊技機において、図柄始動口への遊技球の入賞に起因して抽出された乱数に基づいて、第１特別遊技当たり、第２特別遊技当たり或いは外れのいずれかを判定する判定手段と、前記判定手段による判定の後に前記第１特別遊技当たり、前記第２特別遊技当たりまたは外れを報知する表示手段と、予め設定されている移行条件が成立したか否かを判別する条件判別手段と、前記判定手段が前記第１特別遊技当たりと判定したことを前提として前記第１特別遊技用の変動入賞装置を第１特別遊技態様で開放動作させて前記第１特別遊技を実行し、前記判定手段が前記第２特別遊技当たりと判定したことを前提として前記第２特別遊技用の変動入賞装置を第２特別遊技態様で開放動作させて前記第２特別遊技を実行し、前記移行条件が成立していると前記第２特別遊技に引き続いて前記第１特別遊技と同等の第３特別遊技を実行する遊技制御手段とを備え、前記移行条件は、前記第２特別遊技中に前記第２特別遊技用の変動入賞装置に入賞した遊技球が移行条件領域に設定数以上進入すると成立することを特徴とする遊技機。
　【請求項２】　請求項１記載の遊技機において、前記遊技制御手段は、前記第３特別遊技では前記第１特別遊技用の変動入賞装置を開放動作させるが、前記第１特別遊技と前記第３特別遊技とでは、前記第１特別遊技用の変動入賞装置の開放回数又は前記第１特別遊技用の変動入賞装置への入賞球１球当たりの賞球個数が異なることを特徴とする遊技機。
　【請求項３】　請求項１又は２記載の遊技機において、前記第１特別遊技用の変動入賞装置と前記第２特別遊技用の変動入賞装置が共通であることを特徴とする遊技機。
　【請求項４】　請求項１、２又は３記載の遊技機において、前記第２特別遊技には、前記移行条件が成立すれば前記第３特別遊技を実行する種類と前記移行条件が成立しても前記第３特別遊技を実行しない種類とが存在することを特徴とする遊技機。」
から、
　
「【請求項１】　遊技領域における遊技球の挙動によって遊技が行われる遊技機において、図柄始動口への遊技球の入賞に起因して抽出された乱数に基づいて、第１特別遊技当たり、第２特別遊技当たり或いは外れのいずれかを判定する判定手段と、前記判定手段による判定の後に前記第１特別遊技当たり、前記第２特別遊技当たりまたは外れを報知する表示手段と、予め設定されている移行条件が成立したか否かを判別する条件判別手段と、前記判定手段が前記第１特別遊技当たりと判定したことを前提として前記第１特別遊技用の変動入賞装置を第１特別遊技態様で開放動作させて前記第１特別遊技を実行し、前記判定手段が前記第２特別遊技当たりと判定したことを前提として前記第２特別遊技用の変動入賞装置を第２特別遊技態様で開放動作させて前記第２特別遊技を実行し、前記移行条件が成立していると前記第２特別遊技に引き続いて前記第１特別遊技と同等の第３特別遊技を実行する遊技制御手段とを備え、前記移行条件は、前記第２特別遊技中に前記第２特別遊技用の変動入賞装置に入賞した遊技球が移行条件領域に設定数以上進入すると成立する
遊技機であり、前記遊技制御手段は、前記第３特別遊技では前記第１特別遊技用の変動入賞装置を開放動作させるが、前記第１特別遊技と前記第３特別遊技とでは、前記第１特別遊技用の変動入賞装置の開放回数が異なる
へと補正された。
　
　本件補正は、平成２０年１月２３日付手続補正書の請求項２を新たな請求項１にするとともに、前記請求項２の「前記第１特別遊技用の変動入賞装置の開放回数又は前記第１特別遊技用の変動入賞装置への入賞球１球当たりの賞球個数が異なる」を、新たな請求項１において「前記第１特別遊技用の変動入賞装置の開放回数が異なる」とした補正を含むものである。前者については、平成１８年法律第５５号による改正前の特許法第１７条の２第４項第１号に規定する請求項の削除を目的としたものに該当し、後者については、発明特定事項の上位概念から下位概念への変更に当たり、同法第１７条の２第４項第２号に規定する「特許請求の範囲の減縮（第三十六条第五項の規定により請求項に記載した発明を特定するために必要な事項を限定するものであつて、その補正前の当該請求項に記載された発明とその補正後の当該請求項に記載された発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（上記改正前の特許法第１７条の２第５項において準用する同法１２６条第５項の規定に適合するか）否かを検討する。　
　
【２】独立特許要件の適否
［１］引用例に記載の発明・技術
　第１引用例：特開２０００−３０８７１９号公報
　第２引用例：特開２００１−１３７４５５号公報
　
（１）引用発明
　原査定の拒絶理由に引用された、平成１２年１１月７日に頒布された刊行物である第１引用例（特開２０００−３０８７１９号公報）には、以下の事項が図面とともに記載されている。
　
（ア）「【００３２】該パチンコ装置１は、外観は、遊技盤２と、該遊技盤２内にパチンコ玉を送り出す発射装置３と、パチンコ玉を溜めておく貯留部４と、から主に構成されている。』(第４頁６欄４〜７行）
（イ）「【００３４】遊技盤２は、略垂直に設置されている。該遊技盤２には、下側から左上にかけて、発射装置３によって発射された玉を導くためのガイドレール２０ａ，２０ｂが設けられている。該ガイドレール２０ｂで囲まれる領域であって、ガイドレール２０ａよりも右側の領域が、パチンコ玉による実質的な遊技が行われる部分である（以下”遊技部”という）。該遊技部の各所には、パチンコ玉の入る入賞孔を備えた、通常入賞部２２０，変動入賞部２２１，始動入賞部２２２が設けられている（以下、これらを総称して”入賞部２２”という）。」（第４頁６欄１４〜２３行）
（ウ）「【００３６】変動入賞部２２１は、遊技部２の中央やや下より位置に、５個が左右に並べて配置されている。変動入賞部２２１は、入賞しにくい形態（図２（ａ）参照）と、入賞しやすい形態（図２（ｂ）参照）と、の二つの異なる形態をとることができ、適宜その形態が遷移する。」（第４頁６欄３５〜４０行）
（エ）「【００４２】遊技盤２の略中央には、変動表示部２１が設置されている。該変動表示部２１は、絵柄を５つ表示可能に構成されている。そして、該変動表示部２１の表示される絵柄の配列（あるいは、組合せ）に応じて、上述の当たり状態が決定される構成となっている。」（第５頁７欄４６〜５０行）
（オ）「【００４８】変動表示部２１は、あらかじめ定められた複数の絵柄の描かれた中空の回転ドラム２１０ａ，ｂ，ｃ，ｄ，ｅを、並べて配置することによって構成されている（以下、回転ドラム２１０ａ，ｂ，ｃ，ｄ，ｅを総称して、単に、回転ドラム２１０という）。」（第５頁８欄３１〜３５行）
（カ）「【００５２】回転ドラム２１０の回転は、始動入賞部２２２への入賞を契機として開始され、不特定量だけ回転後に回転ドラム２１０ｂ，ｄの２つがまず自動的に停止される。この後、残りの３つの回転ドラム２１０ａ，ｃ，ｅが、一つずつ、順番に停止されてゆく構成となっている。」（第６頁９欄７〜１２行）
（キ）「【００５３】本実施の形態においては、変動表示部２１を機械的に実現しているが、その具体的構成はなんら限定されるものではない。例えば、ＣＲＴを用いて、表示画面上における画像として実現しても構わない。この場合には、おのおの回転ドラム上における絵柄の配列も各回ごとに変更するようにしても良い。」（第６頁９欄１５〜２０行）
（ク）「【００５９】また、制御部６は、表示窓２００に表示されている絵柄を判定する機能を備えている。該判定においては、５つの絵柄がすべて一致している場合を、大当たりに、４つの絵柄のみが一致している場合を、中当たりに、また、３つの絵柄のみが一致している場合を小当たりにしている。これ以外の場合は、はずれであり、変動入賞部２２１が一斉に開かれることはない。」（第６頁１０欄３〜９行）
（ケ）「【００６２】さらに、制御部６は、判定の結果、絵柄が、大当たり、あるいは、中当たり、小当たりの配列となっていた場合には、それぞれ、変動入賞部２２１を所定時間、所定回数だけ開かせる機能を備えている。該時間、回数に関する情報は、制御部６が、予め備えている。変動入賞部２２１が一斉に開かれる回数および時間は、大当たり、中当たり、小当たり、の順に、多く（長く）されていることは言うまでもない。」（第６頁１０欄３１〜３８行）
　
　上記（ア）〜（ケ）に摘示した事項によれば、第１引用例には、以下の発明（以下、「引用発明」という。）が記載されている。
「遊技盤２の遊技部でパチンコ玉による実質的な遊技が行われるパチンコ装置１において、遊技盤２の略中央には、あらかじめ定められた複数の絵柄の描かれた中空の回転ドラム２１０ａ，ｂ，ｃ，ｄ，ｅを並べて配置することによって構成された変動表示部２１が設置され、始動入賞部２２２への入賞を契機として開始される回転ドラム２１０の回転は、不特定量だけ回転後に回転ドラム２１０ｂ，ｄの２つがまず自動的に停止され、この後、残りの３つの回転ドラム２１０ａ，ｃ，ｅが、一つずつ、順番に停止されてゆく構成となっており、パチンコ装置１の制御部６は、表示されている絵柄を判定する機能を備え、該判定において大当たり、中当たり、小当たり、はずれを判定し、判定の結果、絵柄が、大当たり、あるいは、中当たり、小当たりの配列となっていた場合には、それぞれ、変動入賞部２２１を所定回数だけ開かせる機能を備え、変動入賞部２２１が開かれる回数は、大当たり、中当たり、小当たり、の順に多くされたパチンコ装置１。」
　
（２）第２引用例に記載の技術
　原査定の拒絶理由に引用された、平成１３年５月２２日に頒布された刊行物である第２引用例（特開２００１−１３７４５５号公報）には、以下の事項が図面とともに記載されている。
　
（ア）「【００５５】まず、当否判定ジョブの概略の流れを図６を参照して説明する。Ｓ２００において始動入賞があったか否かを確認し、ＹＥＳであれば、Ｓ２１０において特別図柄保留数メモリ１４２ｂ（図７参照）に記憶されている保留数（未始動回数）を１インクリメントする。この保留数（未始動回数）が一定値（本実施例では「４」）を超えていれば、その始動入賞は無効となり、Ｓ２５０へスキップする。また、一定値内の保留数（未始動回数）であれば、Ｓ２３０において、特別図柄当否判定乱数（以下、判定乱数ともいう）を発生させ（プログラムを発生させても、所定の乱数発生回路を用いてもいずれでもよい）、読み込んだ判定乱数値を、Ｓ２４０において、特別図柄当否判定乱数メモリ１４２ａ（図７参照：以下、判定乱数メモリともいう）に記憶する。このメモリは、読み込んだ判定乱数値を始動入賞の時系列にシフトメモリ形式で記憶している。」（第８頁１４欄１１〜２６行）
（イ）「【００５６】次に、Ｓ２５０において、判定乱数メモリ１４２ａ（図７参照）から記憶している最も古い先頭の判定乱数値を読み出す。そして、Ｓ２６０において、大当り番号メモリ１４２ｇ（図７参照）から大当り番号を読み出し、Ｓ２７０において、上記判定乱数値との比較を行い、両者が一致していれば大当り判定となり、一致していなければ外れ判定となる。大当り判定の場合には、Ｓ２８０に進み、大当り図柄決定乱数を発生させ、これを読み込んでその決定乱数値を大当り図柄決定乱数メモリ１４２ｃ（図７参照）に記憶する。また、「大当り」という判定結果（本実施例では「１」）を判定結果メモリ１４２ｉ（図７参照）に記憶する。この大当り図柄決定乱数値で指定される特別図柄は、特別図柄画像データが記憶されている圧縮画像データに基づいて、液晶表示盤２９（図２参照）に、変動表示状態を経た後、定められた配列態様で表示される（例えば、横一列及び／又は斜め一列の「７、７、７」の３桁同一図柄の配列態様）。」（第８頁１４欄２７〜４４行）
（ウ）「【００５７】一方、外れ判定となった場合は、Ｓ２７０からＳ３１０に進み、外れリーチジョブを行うかどうかを乱数により決定する。すなわち、Ｓ３１０において、リーチジョブ決定乱数を発生させ、これを読み込み、他方、Ｓ３２０において、リーチ番号メモリ１４２ｈ（図７参照）に記憶されているリーチ番号を読み出す。Ｓ３３０において、両者が一致していれば外れリーチジョブに、一致していなければ通常外れジョブとなる。」（第８頁１４欄４５行〜第９頁１５欄２行）
（エ）「【００５８】外れリーチジョブの場合は、Ｓ３４０へ進み、少なくとも横一列及び／又は斜め一列の揃えるべき２つの特別図柄を、大当り図柄決定乱数（別途乱数を発生させるようにしてもよい）を使用して決定する（Ｓ３４０、Ｓ３５０）。また、Ｓ３６０において、外れ中図柄を乱数により同様に決定し、Ｓ３７０において決定した乱数値を外れ中図柄番号メモリ１４２ｆ（図７参照）に記憶する。また、Ｓ３８０において、「外れリーチ」という判定結果（本実施例では「２」）を判定結果メモリ１４２ｉ（図７参照）に記憶する。一方、通常外れジョブの場合は、Ｓ３９０に進み、各特別図柄をそれぞれ乱数により決定し、決定した各乱数値をそれぞれ対応する外れ番号メモリに記憶する（Ｓ３９０〜Ｓ４４０）。また、Ｓ４５０において、「通常外れ」という判定結果（本実施例では「３」）を判定結果メモリ１４２ｉ（図７参照）に記憶する。」（第９頁１５欄３行〜１８行）
（オ）「【００５９】次に、特別図柄メインジョブの概略の流れを、図８を参照して説明する。まず、Ｓ５００において、特別図柄表示装置１６の液晶表示盤２９（図２参照）上の表示領域で各特別図柄の変動表示を開始させる。」（第９頁１５欄１９〜２３行）
（カ）「【００６０】次いで、Ｓ５１０において判定結果メモリ１４２ｉ（図７参照）から図６で得られた各入賞に対する判定結果を読み出す。具体的には、大当り（当たり、当選）判定（「１」）の場合は（Ｓ５２０：ＹＥＳ）、Ｓ６００に進み、大当り番号を大当り番号メモリ１４２ｇ（図７参照）から読み出し、リーチジョブ（Ｓ６０１）を経て、図柄確定ジョブ（Ｓ６０３）で各特別図柄を、例えば、左図柄、右図柄、中図柄の順序で、例えば全ての図柄を同一に液晶表示盤２９の表示領域上に確定表示させる。」（第９頁１５欄２４〜３３行）
（キ）「【００６１】一方、外れリーチ判定（「２」）の場合は（Ｓ５３０：ＹＥＳ）、Ｓ５９０に進み、大当り番号（少なくとも揃えるべき２つの特別図柄、例えば、左図柄番号と右図柄番号）と、外れ中図柄番号とを各メモリ１４２ｃ、１４２ｆ（図７参照）から読み出し、リーチジョブ（Ｓ５９１）を経て、図柄確定ジョブ（Ｓ５９３）で各特別図柄を、例えば、左図柄、右図柄、中図柄の順序で、液晶表示盤２９の表示領域上に左図柄及び右図柄は同一図柄に揃え、中図柄は他の図柄とは異なる図柄で確定表示させる。また、通常外れ判定（「３」）の場合は（Ｓ５４０）、Ｓ５５０に進み、外れ各図柄番号を外れ番号メモリ１４２ｄ、１４２ｅ、１４２ｆ（図７参照）からそれぞれ読み出し、Ｓ５６０〜Ｓ５８０に進んで、各特別図柄を液晶表示盤２９の表示領域上において、左図柄、右図柄及び中図柄の順で相互にずれたタイミングで停止させ確定表示させる。」（第９頁１５欄３４〜４９行）
（ク）「【００６２】・・・変動入賞装置１８は、基板４１に、大入賞装置３０と、左入賞口４２と右入賞口４３とを備えている。大入賞装置３０は、変動入賞装置１８の略中央に形成され、帯状に開口された大入賞口４４を開放・閉鎖するための開閉板３９を有しており、開閉板３９は、その下端側を枢軸として前後方向に作動可能とされている。図１０に示すように、大入賞口４４の左右両端側の奥底部にはそれぞれ、右入賞領域（特定領域）７０と左入賞領域（特定領域外領域）７１とが形成され、その各領域内部にはカウント検知及び特定領域通過検知スイッチ５４（図１１参照）とカウント通過検知スイッチ５３（図１１参照）とが設けられている。」（第９頁１５欄５０行〜１６欄１３行）
（ケ）「【００６３】一方、大入賞口４４の中央には、シーソー状に作動する水平板７４等を有する振分装置７５が配設されている。この振分装置７５は、遊技球の入球により水平板７４が自然に左右に傾動したり、又は、所定の振分装置傾動用ソレノイド７６（図１１参照）により周期的に傾動したりするものであり、上記領域７０、７１のうち、いずれか一方の領域へ入賞球を導くものである。」（第９頁１６欄１４〜２０行）
（コ）「【００６５】本実施例の場合、特別遊技中の特定期間において、例えば遊技ラウンド数が９ラウンドの終了時において、右端側の特定領域７０に入賞し、カウント検知及び特定領域通過検知スイッチ５４（図１１参照）にて検出された入賞球のカウント数により、以後の遊技態様が異なるものとされている。例えば、図１３に示す継続ラウンド数追加ジョブにおいて、まず、９ラウンド終了時点で（Ｓ７００：ＹＥＳ）、特定領域７０への入賞球数を確認する。特定領域７０への入賞球数が５０個を超えているときには（Ｓ７１０：ＹＥＳ）、通常のラウンド数（基本遊技：本実施例では１０回継続）に６ラウンドが追加され、１１ラウンド以降１６ラウンドまで継続可能とされており（Ｓ７２０）、５０個以下で４０個を超えているときには（Ｓ７３０：ＹＥＳ）、通常のラウンド数（１０回）に３ラウンドが追加され、１１ラウンド以降１３ラウンドまで継続可能とされている（Ｓ７４０）。ただし、４０個以下のときには（Ｓ７３０：ＮＯ）、ラウンド数の追加は行われず、１０ラウンドで特別遊技を終了させるものとなっている（Ｓ７５０）。」（第９頁１６欄３７行〜第１０頁１７欄５行）
（サ）「【００６６】すなわち、本実施例のパチンコ機１は、特別遊技状態中において、入賞領域（例えば特定領域）の入賞球のカウント数に基づいて、基本遊技における遊技ラウンド数（１０回）に、特別のラウンド数（０回又は３回又は６回）が追加されるものとなっている。」（第１０頁１７欄６〜１０行）
　
　上記（ア）〜（サ）に摘示した事項によれば、第２引用例には、
「パチンコ機１において、始動入賞があったときに発生させた判定乱数値と大当り番号とを比較して両者が一致していれば大当り判定となり、全ての図柄を同一に液晶表示盤２９の表示領域上に確定表示させ、また、判定乱数値と大当り番号とを比較して両者が一致していなければ外れ判定となり、液晶表示盤２９の表示領域上に外れリーチか通常リーチかを確定表示させるようにし、前記パチンコ機１の変動入賞装置１８の略中央に形成された大入賞装置３０が、右端側の奥底部に特定領域７０を形成した大入賞口４４を開放・閉鎖するための開閉板３９を有しており、前記パチンコ機１は、特別遊技中の特定期間において、前記特定領域７０への入賞球数が５０個を超えているときには、通常の１０回のラウンド数に６ラウンドが追加されて、１１ラウンド以降１６ラウンドまで継続可能とし、５０個以下で４０個を超えているときには、通常の１０回のラウンド数に３ラウンドが追加されて、１１ラウンド以降１３ラウンドまで継続可能とし、４０個以下のときには、ラウンド数の追加は行われず、１０ラウンドで特別遊技を終了させる」ものとした技術（以下、「第２引用例に記載の技術」という。）が記載されている。
　
［２］本願補正発明について
（１）本願補正発明と引用発明との対比
（ア）引用発明における「遊技盤２の遊技部でパチンコ玉による実質的な遊技が行われるパチンコ装置１」が、表現上の差異はあるものの、本願補正発明の「遊技領域における遊技球の挙動によって遊技が行われる遊技機」に相当することは、当業者にとって自明である。
　
（イ）引用発明は、「始動入賞部２２２への入賞を契機として開始される回転ドラム２１０の回転は、不特定量だけ回転後に回転ドラム２１０ｂ，ｄの２つがまず自動的に停止され、この後、残りの３つの回転ドラム２１０ａ，ｃ，ｅが、一つずつ、順番に停止されてゆく構成となっており、パチンコ装置１の制御部６は、表示されている絵柄を判定する機能を備え、該判定において大当たり、中当たり、小当たり、はずれを判定」するものであり、前記「大当たり」及び前記「小当たり」を、本願補正発明の「第１特別遊技当たり」及び「第２特別遊技当たり」に対応させると、引用発明が、実質的に、「図柄始動口への遊技球の入賞に起因して回転する回転ドラムの停止表示された図柄に基づいて、第１特別遊技当たり、中当たり、第２特別遊技当たりまたは外れのいずれかを判定する判定手段と、前記第１特別遊技当たり、前記中当たり、前記第２特別遊技当たりまたは外れを報知する表示手段」を備えるものであることは、当業者にとって自明であると言える。そうすると、引用発明と本願補正発明とは、「第１特別遊技当たり、第２特別遊技当たり或いは外れを含む態様のいずれかを判定する判定手段と、前記第１特別遊技当たり、前記第２特別遊技当たりまたは外れを含む態様を報知する表示手段」で共通する。
　
（ウ）引用発明は、「判定の結果、絵柄が、大当たり、あるいは、中当たり、小当たりの配列となっていた場合には、それぞれ、変動入賞部２２１を所定回数だけ開かせる機能を備え、変動入賞部２２１が開かれる回数は、大当たり、中当たり、小当たり、の順に多くされ」たものであり、上記（イ）に記載したように、引用発明の「大当たり」及び「小当たり」を、本願補正発明の「第１特別遊技当たり」及び「第２特別遊技当たり」に対応させると、表現上の差異はあるものの、引用発明が、「前記判定手段が前記第１特別遊技当たりと判定したことを前提として前記第１特別遊技用の変動入賞装置を第１特別遊技態様で開放動作させて前記第１特別遊技を実行し、前記判定手段が前記第２特別遊技当たりと判定したことを前提として前記第２特別遊技用の変動入賞装置を第２特別遊技態様で開放動作させて前記第２特別遊技を実行」する「遊技制御手段」を備えたものであることは、当業者にとって自明である。
　
（エ）上記（ア）〜（ウ）に説示した事項により、本願補正発明と引用発明とは、
「遊技領域における遊技球の挙動によって遊技が行われる遊技機において、
　第１特別遊技当たり、第２特別遊技当たり或いは外れを含む態様のいずれかを判定する判定手段と、
　前記第１特別遊技当たり、前記第２特別遊技当たりまたは外れを含む態様を報知する表示手段と、
　前記判定手段が前記第１特別遊技当たりと判定したことを前提として前記第１特別遊技用の変動入賞装置を第１特別遊技態様で開放動作させて前記第１特別遊技を実行し、前記判定手段が前記第２特別遊技当たりと判定したことを前提として前記第２特別遊技用の変動入賞装置を第２特別遊技態様で開放動作させて前記第２特別遊技を実行する遊技制御手段とを備えた遊技機。」
の点で実質的に一致するといえ、以下の相違点Ａ〜Ｅで相違する。
　
＜相違点＞
　相違点Ａ．判定手段による（大当たりか外れかの）判定の基にするものが、本願補正発明では、「図柄始動口への遊技球の入賞に起因して抽出された乱数」であるのに対し、引用発明では、「図柄始動口への遊技球の入賞に起因して回転する回転ドラムの停止表示された図柄」である点。
　相違点Ｂ．判定手段が、本願補正発明では、「第１特別遊技当たり、第２特別遊技当たり或いは外れのいずれか」を判定するのに対し、引用発明では、「第１特別遊技当たり、中当たり、第２特別遊技当たり或いは外れのいずれか」を判定する点。
　相違点Ｃ．表示手段が、本願補正発明では、「第１特別遊技当たり、第２特別遊技当たりまたは外れ」を報知するのに対し、引用発明では、「第１特別遊技当たり、中当たり、第２特別遊技当たりまたは外れ」を報知する点。
　相違点Ｄ．本願補正発明は、「報知」が「判定」の「後」であるのに対し、引用発明は、回転する回転ドラムの停止表示された図柄に基づいて判定が行われるものであるから、「判定」が「報知」の「後」といえる点。
　相違点Ｅ．本願補正発明の遊技機が、「予め設定されている移行条件が成立したか否かを判別する条件判別手段」を備え、「前記移行条件が成立していると前記第２特別遊技に引き続いて前記第１特別遊技と同等の第３特別遊技を実行」し、「前記移行条件は、前記第２特別遊技中に前記第２特別遊技用の変動入賞装置に入賞した遊技球が移行条件領域に設定数以上進入すると成立する」もので、「前記第３特別遊技では前記第１特別遊技用の変動入賞装置を開放動作させるが、前記第１特別遊技と前記第３特別遊技とでは、前記第１特別遊技用の変動入賞装置の開放回数が異なる」ものであるとした構成を備えているのに対し、引用発明の遊技機は、前記構成を備えたものではない点。
　
（２）相違点についての判断
（ア）相違点Ａ及びＤについて
　本願出願前の遊技機において、図柄始動口への遊技球の入賞に起因して抽出された乱数に基づいて大当たりか外れかの判定を行うこと及び前記判定の後に報知を行うことは周知技術であり（以下、「周知技術」という。）、例えば、上記第２．【２】［１］（２）に示した第２引用例に記載の技術の如くであるから、引用発明に前記周知技術を適用して上記相違点Ａ及びＤに係る本願補正発明の構成の如くすることは、当業者であれば想到容易であり、また、これを阻害する要因も見あたらない。
　
（イ）相違点Ｂ及びＣについて
　引用発明は、「第１特別遊技当たり」、「中当たり」、「第２特別遊技当たり」の３種類を当たりの態様として用意したものであるが、複数種類の当たりを用意することとした場合に、その数をいくつにする（例えば、引用発明において当たりの種類を減らすことによって、本願補正発明の如くの「第１特別遊技当たり」と「第２特別遊技当たり」の２種類とすること）かは、当業者が遊技の多様性や制御上の制約等を考慮して適宜決定する設計的事項に過ぎない。よって、引用発明に基づいて、上記相違点Ｂ及びＣに係る本願補正発明の構成の如くすることは、当業者であれば想到容易であり、また、これを阻害する要因も見あたらない。
　
（ウ）相違点Ｅについて
　上記第２．【２】［１］（２）に示した第２引用例に記載の技術は、「変動入賞装置１８の略中央に形成された大入賞装置３０が、右端側の奥底部に特定領域７０を形成した大入賞口４４を開放・閉鎖するための開閉板３９を有し」、「特別遊技中の特定期間において、前記特定領域７０への入賞球数が５０個を超えているときには、通常の１０回のラウンド数に６ラウンドが追加されて、１１ラウンド以降１６ラウンドまで継続可能とし、５０個以下で４０個を超えているときには、通常の１０回のラウンド数に３ラウンドが追加されて、１１ラウンド以降１３ラウンドまで継続可能とし、４０個以下のときには、ラウンド数の追加は行われず、１０ラウンドで特別遊技を終了させる」ようにした「パチンコ機１」の構成を含むものである。
　すなわち、第２引用例に記載の技術における「パチンコ機１」（本願補正発明の「遊技機」に相当する。）は、「特別遊技中の特定期間」（本願補正発明の「第２特別遊技中」に相当する。）に、「変動入賞装置１８の略中央に形成された大入賞装置３０」（本願補正発明の「第２特別遊技用の変動入賞装置」に相当する。）の「特定領域７０」（本願補正発明の「移行条件領域」に相当する。）への「入賞球数」（本願補正発明の「入賞した遊技球」に相当する。）が、「所定の個数を超えているとき」（本願補正発明の、設定数以上進入すると成立する「移行条件が成立していると」に対応する。）、「通常の１０回のラウンド数に（所定の）ラウンド数が追加される」（本願補正発明の「第２特別遊技に引き続いて・・・第３特別遊技を実行」に対応する。）ものであると言うことができ、さらに、前記したような「所定の個数を超え」たことの判別を可能とするために、そのための機械的手段（条件判別手段）が第２引用例に記載の技術に備えられていることも当業者にとっては自明である。
　この第２引用例に記載の技術は、引用発明と、いわば、当たり状態の継続ラウンド数が上限数以下の範囲で複数設定されているものである点で共通するから、引用発明における、上限数ではない設定の当たりである「小当たり」（上記第２．【２】［２］（１）（イ）に説示したように、本願補正発明の「第２特別遊技」に相当する。）となったときの遊技の進行や変動入賞装置の構造等に関して、（上限数ではない設定の当たりの遊技の進行や変動入賞装置の構造等に係る）上記第２引用例に記載の技術を採用することは当業者にとって想到容易である。
　そして、上記した如くの採用をした際に、第３特別遊技において開放する変動入賞装置（第２特別遊技において開放するものに同じ）が、結果として第１特別遊技用の変動入賞装置になること、言い換えれば、本願補正発明の如く「前記第３特別遊技では前記第１特別遊技用の変動入賞装置を開放動作させる」ことになることは自明である。また、同じく前記した如くの採用をした際に、第３特別遊技として追加されるラウンド数をどうするか（本願補正発明の如く、「前記第１特別遊技と前記第３特別遊技とでは、前記第１特別遊技用の変動入賞装置の開放回数が異なる」ものとするか否か）は、遊技性を考慮して当業者が適宜決定する設計的事項に過ぎない。
　よって、引用発明に第２引用例に記載の技術を適用することにより、上記相違点Ｅに係る本願補正発明の構成の如くすることは、当業者であれば想到容易であり、また、これを阻害する要因も見あたらない。
　
（３）本願補正発明の作用効果の検討
　そして、本願補正発明の作用効果は、引用発明及び第２引用例に記載の技術並びに上記周知技術に基づいて、当業者が当然予測できるものである。  
　　　　　　 
（４）むすび 
　したがって、本願補正発明は、引用発明及び第２引用例に記載の技術並びに上記周知技術に基づいて、当業者が容易に発明をすることができたものであり、特許法第２９条第２項の規定により特許を受けることができない。
　
［３］補正の却下の決定のむすび
　以上のとおりであるから、本件補正は、平成１８年法律第５５号による改正前の特許法第１７条の２第５項において準用する同法第１２６条第５項の規定に違反するので、特許法第１５９条第１項の規定において読み替えて準用する同法第５３条第１項の規定により却下すべきものである。　
　よって、〔補正の却下の決定の結論〕のとおり決定する。
　
　
第３．本願発明について　　
【１】本願発明　
　平成２０年６月１１日付の手続補正が上記のとおり却下されているので、本願の請求項１に係る発明は、同年１月２３日付の手続補正により補正された明細書及び図面の記載からみて、その特許請求の範囲の請求項１に記載された事項により特定される以下のとおりのものである（以下、「本願発明」という。）。　
「【請求項１】　遊技領域における遊技球の挙動によって遊技が行われる遊技機において、図柄始動口への遊技球の入賞に起因して抽出された乱数に基づいて、第１特別遊技当たり、第２特別遊技当たり或いは外れのいずれかを判定する判定手段と、前記判定手段による判定の後に前記第１特別遊技当たり、前記第２特別遊技当たりまたは外れを報知する表示手段と、予め設定されている移行条件が成立したか否かを判別する条件判別手段と、前記判定手段が前記第１特別遊技当たりと判定したことを前提として前記第１特別遊技用の変動入賞装置を第１特別遊技態様で開放動作させて前記第１特別遊技を実行し、前記判定手段が前記第２特別遊技当たりと判定したことを前提として前記第２特別遊技用の変動入賞装置を第２特別遊技態様で開放動作させて前記第２特別遊技を実行し、前記移行条件が成立していると前記第２特別遊技に引き続いて前記第１特別遊技と同等の第３特別遊技を実行する遊技制御手段とを備え、前記移行条件は、前記第２特別遊技中に前記第２特別遊技用の変動入賞装置に入賞した遊技球が移行条件領域に設定数以上進入すると成立することを特徴とする遊技機。」
　
【２】特許法第２９条２項の適用
［１］引用例に記載の発明及び技術　
　原査定の拒絶の理由で引用された第１引用例（特開２０００−３０８７１９号公報）に記載の発明（引用発明）、第２引用例（特開２００１−１３７４５５号公報）に記載の技術は、それぞれ、上記第２．【２】［１］（１）、（２）に記載したとおりである。
　
［２］対比・判断
　本願発明は、本願補正発明において、遊技機制御手段が、「前記第３特別遊技では前記第１特別遊技用の変動入賞装置を開放動作させるが、前記第１特別遊技と前記第３特別遊技とでは、前記第１特別遊技用の変動入賞装置の開放回数が異なる」ものであるとした限定事項を省いたものである。
　そうすると、本願発明の構成要素を全て含むものに相当する本願補正発明が、上記第２．【２】［２］に説示したように、引用発明（第１引用例に記載の発明）及び第２引用例に記載の技術並びに周知技術に基づいて、当業者が容易に発明をすることができたものであるから、本願発明は、同様の理由により、引用発明及び第２引用例に記載の技術並びに周知技術に基づいて、当業者が容易に発明をすることができたものである。
　
［３］むすび　
　以上のとおり、本願発明は、引用発明及び第２引用例に記載の技術並びに周知技術に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。